(57)【特許請求の範囲】
【請求項１】
相対回転により互いに螺合可能な第１ケーシング部材及び第２ケーシング部材からなるケーシング内に、フィルタエレメントを有するエレメント組立体を収容してなり、該第１ケーシング部材及び該第２ケーシング部材の間に緩み回り規制構造を設けてなるエレメント交換型フィルタにおいて、
前記緩み回り規制構造は、前記第１ケーシング部材の外周側に遠心方向に突出して設けられる規制部と、前記第２ケーシング部材の外周側に基端側が固定されて該第２ケーシング部材の半径方向に弾性変形自在に設けられる金属製の板バネ部材と、を備え、
前記板バネ部材の自由端側には、前記第１ケーシング部材及び前記第２ケーシング部材の相対回転により前記規制部に当接する当接部が設けられており、
前記当接部は、前記第１ケーシング部材及び前記第２ケーシング部材がその螺合を締める方向（Ｐ１）に相対回転するときに前記規制部に当接する第１当接面と、前記第１ケーシング部材及び前記第２ケーシング部材がその螺合を緩める方向（Ｐ２）に相対回転するときに前記規制部に当接する第２当接面と、を有し、前記第１当接面と前記第２ケーシング部材の接線とのなす角度（Ａ）が、前記第２当接面と前記第２ケーシング部材の接線とのなす角度（Ｂ）より小さな値に設定されていることを特徴とするエレメント交換型フィルタ。
【請求項２】
前記板バネ部材は、前記第２ケーシング部材の外周側に着脱可能に設けられている請求項１記載のエレメント交換型フィルタ。
【請求項３】
前記板バネ部材の基端側には、その基端側を折り曲げて形成され且つ前記第２ケーシング部材の外周側に形成された溝部に弾性変形を伴って圧入される圧入固定部が設けられている請求項１又は２に記載のエレメント交換型フィルタ。
【請求項４】
前記圧入固定部を前記溝部に圧入した状態で、前記板バネ部材が、前記第２ケーシング部材の外周面に対して所定の隙間（Ｓ）をもって対向している請求項３記載のエレメント交換型フィルタ。
【請求項５】
前記板バネ部材の自由端側には、その自由端側を折り曲げて形成される把持部が設けられている請求項３又は４に記載のエレメント交換型フィルタ。
【発明の詳細な説明】
【技術分野】
【０００１】
本発明は、エレメント交換型フィルタに関し、さらに詳しくは、高強度で耐久性に優れる簡易且つ安価な構造の緩み回り規制構造を備えると共に、ケーシングの半径方向の寸法を必要最小限にできるエレメント交換型フィルタに関する。
【背景技術】
【０００２】
従来より、相対回転により互いに螺合可能なキャップ及びケースからなるケーシング内に、フィルタエレメントを有するエレメント組立体を収容してなるエレメント交換型フィルタにおいて、上記キャップ及びケースの間にキャップの緩み回り規制構造を設け、キャップの緩み回りによるオイル漏れを抑制するものが知られている（例えば、特許文献１等参照）。
【０００３】
上記従来の緩み回り規制構造１３０として、例えば、図９に示すように、合成樹脂製のキャップ１０２の外周側に突起部１３１を一体形成すると共に、合成樹脂製のケース１０３の外周側にストッパ部材１３２を一体形成してなるものが知られている。そして、上記突起部１３１の形状は、キャップ１０２が締まる方向は角度がなだらかで締め易くなっており、キャップ１０２が緩む方向は角度がきつく緩み難いものとなっている。
しかし、上記従来の緩み回り規制構造１３０では、合成樹脂製の上記ストッパ部材１３２の弾性のみにてキャップ１０２の緩み回り防止を図っているので、寒冷時でのキャップの脱着や工具のぶつけ等によってストッパ部材が破損してしまう可能性があり、強度面及び耐久性の点で問題がある。
【０００４】
また、上記特許文献１には、ケースの内周側に、ケーシングの軸心方向に弾性変形するリング状の板バネを設けると共に、キャップの内周側に、上記板バネの凸形状部と係合可能な凹形状部を設けてなる構造が開示されている（上記特許文献１の図１等参照）。
さらに、上記特許文献１には、ケースの外周側に、コイルバネにより付勢されケーシングの軸心方向に出没自在に可動ピンを設けると共に、キャップの外周側に、上記可動ピンと係合可能な突起部を設けてなる構造が開示されている（上記特許文献１の図４等参照）。
しかし、前者の構造では、ケーシング内部に緩み回り規制構造を設けているので、ケーシングの外周寸法が大きなものとなってしまう。特に、ケーシングの軸心方向に弾性変形するリング状板バネを採用しているので、少なくともその設置スペース分はケーシングの半径方向の寸法が大きくなってしまう。また、緩み回り規制構造に何らかの不具合が生じていても、これを把握することが困難である。
また、後者の構造では、緩み回り規制構造が、可動ピン、コイルバネ及び突起部の少なくとも３部品から構成されているので、部品点数が多く、複雑且つ高価なものである。また、キャップ外周側にコイルバネ及び可動ピンを設けているので、キャップ外周側に所定の突出幅を有する突出部を形成する必要があり、やはりケーシングの半径方向の寸法が大きなものとなってしまう。特に、可動ピン及び突起部の係合をより確実なものとするために、コイルバネとして、通常、その内径が約５ｍｍ程度のものが採用され、キャップ外周側の突出部の突出幅は約１０ｍｍ弱程度のものとなっている。また、緩み回り規制構造（特に、コイルバネ）に何らかの不具合が生じていても、これを把握することが困難である。さらに、可動ピンの摺動孔内に砂等の異物が侵入することによって、可動ピンの摺動性が低下する等の不具合発生の恐れがあり、さらに、そのような不具合が緩み回り規制構造に生じた場合には、キャップ全体を交換する必要がある。
【０００５】
【特許文献１】特開平１０−２４９１０９号公報
【発明の開示】
【発明が解決しようとする課題】
【０００６】
本発明は、上記現状に鑑みてなされたものであり、高強度で耐久性に優れる簡易且つ安価な構造の緩み回り規制構造を備えると共に、ケーシングの半径方向の寸法を必要最小限にできるエレメント交換型フィルタを提供することを目的とする。
【課題を解決するための手段】
【０００７】
本発明は、以下の通りである。
１．相対回転により互いに螺合可能な第１ケーシング部材及び第２ケーシング部材からなるケーシング内に、フィルタエレメントを有するエレメント組立体を収容してなり、該第１ケーシング部材及び該第２ケーシング部材の間に緩み回り規制構造を設けてなるエレメント交換型フィルタにおいて、
前記緩み回り規制構造は、前記第１ケーシング部材の外周側に遠心方向に突出して設けられる規制部と、前記第２ケーシング部材の外周側に基端側が固定されて該第２ケーシング部材の半径方向に弾性変形自在に設けられる金属製の板バネ部材と、を備え、
前記板バネ部材の自由端側には、前記第１ケーシング部材及び前記第２ケーシング部材の相対回転により前記規制部に当接する当接部が設けられており、
前記当接部は、前記第１ケーシング部材及び前記第２ケーシング部材がその螺合を締める方向（Ｐ１）に相対回転するときに前記規制部に当接する第１当接面と、前記第１ケーシング部材及び前記第２ケーシング部材がその螺合を緩める方向（Ｐ２）に相対回転するときに前記規制部に当接する第２当接面と、を有し、前記第１当接面と前記第２ケーシング部材の接線とのなす角度（Ａ）が、前記第２当接面と前記第２ケーシング部材の接線とのなす角度（Ｂ）より小さな値に設定されていることを特徴とするエレメント交換型フィルタ。
２．前記板バネ部材は、前記第２ケーシング部材の外周側に着脱可能に設けられている上記１．記載のエレメント交換型フィルタ。
３．前記板バネ部材の基端側には、その基端側を折り曲げて形成され且つ前記第２ケーシング部材の外周側に形成された溝部に弾性変形を伴って圧入される圧入固定部が設けられている上記１．又は２．に記載のエレメント交換型フィルタ。
４．前記圧入固定部を前記溝部に圧入した状態で、前記板バネ部材が、前記第２ケーシング部材の外周面に対して所定の隙間（Ｓ）をもって対向している上記３．記載のエレメント交換型フィルタ。
５．前記板バネ部材の自由端側には、その自由端側を折り曲げて形成される把持部が設けられている上記３．又は４．に記載のエレメント交換型フィルタ。
【発明の効果】
【０００８】
本発明のエレメント交換型フィルタによると、第１及び第２ケーシング部材の螺合の締め付け状態において、第１ケーシング部材の外周側の規制部に対して、第２ケーシング部材の外周側の板バネ部材の当接部が近接（又は当接）する位置に位置される。そして、この状態より、第１及び第２ケーシング部材の螺合が緩んでも、規制部及び当接部の当接により必要以上に第１及び第２ケーシング部材が相対回転してしまうことが規制される。また、金属製の板バネ部材を採用しているので、寒冷時でのケーシング部材の脱着や工具のぶつけ等による板バネ部材の破損を抑制でき、高強度で且つ耐久性に優れる構造とすることができる。さらに、板バネ部材を、ケーシング部材の半径方向に弾性変形自在に設けたので、ケーシングの半径方向の寸法を必要最小限としてコンパクト化を図ることができる。
また、前記当接部が、第１当接面と、第２当接面と、を有し、前記第１当接面と前記第２ケーシング部材の接線とのなす角度（Ａ）が、前記第２当接面と前記第２ケーシング部材の接線とのなす角度（Ｂ）より小さな値に設定されている場合は、第１及び第２ケーシング部材をその螺合を締める方向に相対回転させるときに、規制部及び第１当接面が当接しても締め易くできる一方、第１及び第２ケーシング部材がその螺合を緩める方向に相対回転するときに、規制部及び第２当接面の当接によって緩み難くできる。
また、前記板バネ部材の基端側に圧入固定部が設けられている場合は、この圧入固定部が、第２ケーシング部材の外周側に形成された溝部に圧入されているので、板バネ部材の組付時や交換時等に、第２ケーシング部材に対する板バネ部材の着脱を容易且つ迅速に行うことができる。
また、前記圧入固定部を前記溝部に圧入した状態で、前記板バネ部材が、前記第２ケーシング部材の外周面に対して所定の隙間（Ｓ）をもって対向している場合は、内燃機関の運転中に板バネ部材が振動しても、この板バネ部材が第２ケーシング部材の外周面に伝わって騒音等が生じることを抑制できる。
また、前記板バネ部材の自由端側に把持部が設けられている場合は、板バネ部材の組付時や交換時等に、その把持部を工具や指先で掴むことによって、第２ケーシング部材に対する板バネ部材の着脱を容易且つ迅速に行うことができる。
【発明を実施するための最良の形態】
【０００９】
１．エレメント交換型フィルタ
本発明に係るエレメント交換型フィルタは、相対回転により互いに螺合可能な第１ケーシング部材及び第２ケーシング部材からなるケーシング内に、フィルタエレメントを有するエレメント組立体を収容してなるフィルタである。このエレメント交換型フィルタは、後述する緩み回り規制構造を備える。
【００１０】
上記「第１ケース部材」及び「第２ケース部材」の材質としては、例えば、金属製、合成樹脂製等を挙げることができる。また、上記第１及び第２ケース部材の螺合形態としては、例えば、（１）互いに螺合可能な雄ネジ部及び雌ネジ部からなる形態、（２）互いに螺合可能な溝部及び凸部からなる形態（「バヨネット構造」とも言う。）等を挙げることができる。
上記「フィルタエレメント」は、通常、ひだ折り菊花状に形成されている。このフィルタエレメントの材質としては、例えば、濾紙、不織布等を挙げることができる。
上記「エレメント組立体」としては、例えば、上記フィルタエレメントを金属製の筒状部材の外周側に装着してなるもの等を挙げることができる。
【００１１】
上記「緩み回り規制構造」は、上記第１ケーシング部材及び第２ケーシング部材の間に設けられており、以下に述べる規制部及び板バネ部材を備えている。
【００１２】
上記「規制部」は、上記第１ケーシング部材の外周側に設けられる限り、その形状、大きさ、個数等は特に問わない。この規制部は、例えば、上記第１ケーシング部材の遠心方向に突出して設けられていることができる。また、規制部は、例えば、第１ケーシング部材と一体的に設けられたり、第１ケーシング部材とは別部材として第１ケーシング部材に付設されていたりすることができる。
【００１３】
上記「板バネ部材」は、金属製であり、且つ、上記第２ケーシング部材の外周側に基端側が固定されてこの第２ケーシング部材の半径方向に弾性変形自在に設けられるものである限り、その形状、大きさ、個数等は特に問わない。この板バネ部材は、例えば、上記第２ケーシング部材の軸心方向に延びており、且つ、第２ケーシング部材の外周面に略平行に設けられていることができる。また、板バネ部材の材質としては、例えば、ばね鋼、特殊鋼（クロムバナジウム鋼、マンガンクロム鋼等）、ステンレス鋼、りん青銅等を挙げることができる。
【００１４】
上記板バネ部材の自由端側には、以下に述べる当接部が設けられている。
上記「当接部」は、上記第１ケーシング部材及び上記第２ケーシング部材の相対回転により上記規制部に当接し得る限り、その形状、大きさ、個数等は特に問わない。この当接部は、例えば、上記第２ケーシング部材の求心方向に突出して設けられていることができる。
【００１５】
上記当接部は、例えば、以下に述べる第１当接面及び第２当接面を有することができる。
上記「第１当接面」は、第１ケーシング部材及び前記第２ケーシング部材がその螺合を締める方向に相対回転するときに上記規制部に当接する面である限り、その形状、大きさ等は特に問わない。この第１当接面としては、例えば、平面、曲面等のうちの１種又は２種以上の組み合わせを挙げることができる。
上記「第２当接面」は、第１ケーシング部材及び前記第２ケーシング部材がその螺合を緩める方向に相対回転するときに上記規制部に当接する面である限り、その形状、大きさ等は特に問わない。この第２当接面としては、例えば、平面、曲面等のうちの１種又は２種以上の組み合わせを挙げることができる。
【００１６】
ここで、例えば、上記第１当接面と上記第２ケーシング部材の接線とのなす角度Ａは、上記第２当接面と上記第２ケーシング部材の接線とのなす角度Ｂより小さな値に設定されていることができる（図３参照）。上記角度Ａは、例えば、１０〜５０度（好ましくは２０〜４０度）であることができる。また、上記角度Ｂは、例えば、４０〜８０度（好ましくは５０〜７０度）であることができる。
【００１７】
上記板バネ部材の取着形態としては、例えば、（１）板バネ部材の基端側に、その基端側を折り曲げて形成される圧入固定部が設けられ、この圧入固定部が、第２ケーシング部材の外周側に形成された溝部に弾性変形を伴って圧入されている形態、（２）板バネ部材の基端部がビス、カシメ等により第２ケーシング部材の外周側に取着されている形態等を挙げることができる。これらのうち、メンテナンス性といった観点から、上記（１）形態であることが好ましい。
【００１８】
上記（１）形態では、板バネ部材の着脱性といった観点から、上記圧入固定部が、ケーシングの軸心方向から上記溝部に圧入されていることが好ましい。
上記（１）形態では、騒音抑制といった観点から、上記圧入固定部を上記溝部に圧入した状態で、上記板バネ部材が、上記第２ケーシング部材の外周面に対して所定の隙間Ｓをもって対向していることが好ましい（図２参照）。
【００１９】
上記板バネ部材の自由端側には、例えば、その自由端側を折り曲げて形成される把持部が設けられていることができる。この把持部は、例えば、上記第２ケーシング部材の遠心方向に延びて設けられていることができる。
【実施例】
【００２０】
以下、図面を用いて実施例により本発明を具体的に説明する。なお、本実施例では、本発明に係る「エレメント交換型フィルタ」として、内燃機関のシリンダブロック（図示せず）に装着されるオイルフィルタを例示する。
【００２１】
（１）オイルフィルタの構成
本実施例に係るオイルフィルタ１は、図１に示すように、相対回転により互いに螺合可能な金属製で有底円筒状のキャップ２（本発明に係る「第１ケーシング部材」として例示する。）及びケース３（本発明に係る「第２ケーシング部材」として例示する。）からなるケーシング４を備えている。
【００２２】
上記キャップ２の外周面には、雄ネジ部２ａが形成されていると共に、Ｏリング５が装着されている。また、上記ケース３の内周面には雌ネジ部３ａが形成されている。これら雄ネジ部２ａと雌ネジ部３ａとを螺合させて、Ｏリング５を介してキャップ２及びケース３を螺合させると、ケーシング４の内部がシール（液密に保持）される。
【００２３】
上記ケーシング４の内部では、バネ７の付勢力によって、プレート８及びケース３に設けたケース突起部９の間に、各シール部材１０ａ，１０ｂを介してエレメント組立体１１が保持されている。このエレメント組立体１１は、濾紙をひだ折り菊花状に折曲げ形成してなるフィルタエレメント１２を、多数の透孔を有する金属製の筒状部材１３の外周に装着してなる。
【００２４】
上記キャップ２の底部の中央には、その内周に雌ネジが形成されたドレン穴１５が設けられている。また、キャップ２の底部にはドレン穴１５を囲んでＯリング１６が装着されている。さらに、キャップ２の底部には、環状のキャップ突起部１７が設けられている。
【００２５】
次に、上記キャップ２に設けられたドレン機構２０について説明する。このドレン機構２０は、金属製のドレン部材２１及びバルブ部材２２を備えている。
【００２６】
上記ドレン部材２１は、雄ネジが形成されたプラグ部２１ａと、このプラグ部２１ａに連なるフランジ部２１ｂとを有している。そして、このドレン部材２１の雄ネジとドレン穴１５の雌ネジとを螺合させて、ドレン穴１５にドレン部材２１をネジ止めすると、ドレン部材２１のフランジ部２１ｂがＯリング１６に圧接してドレン穴１５がシールされる。
【００２７】
上記バルブ部材２２は、全体として受け皿状に形成され、上記キャップ突起部１７の外周面に当接する当接部２５を有している。この当接部２５は、バネ７の付勢力によって、通常、キャップ突起部１７に当接され、ドレン穴１５がメタルシールされている。従って、ドレン穴１５からドレン部材２１を取り外した状態であっても、このドレン穴１５からケーシング４内部の微量な残留オイルしか外部へ流出されない。そして、ドレン穴からドレン部材２１を取り外した状態において、作業者によって、筒状のドレン用冶具（図示せず）をドレン穴１５に挿入して、その先端側でバルブ部材２２をバネ７の付勢力に抗して押圧すると、バルブ部材２２によるドレン穴１５のシールが解除されると共に、ドレン用冶具に形成されたスリット及び中心穴を介してケーシング４の内部の残留オイルが外部へ排出されることとなる。
【００２８】
次に、上記キャップ２及びケース３の間に設けられる緩み回り規制構造３０について説明する。この緩み回り規制構造３０は、規制部３１及び板バネ部材３２からなっている。
【００２９】
上記キャップ２の外周側には、その円周方向に沿って所定間隔でキャップ２の遠心方向に突出する複数（例えば、４個）のリブ３３が設けられている。これら複数のリブ３３のうち所定の１つが規制部３１として機能する。なお、上記各リブ３３は、ケース３に対してキャップ２を回転させる際に、作業者により操作される部位として設けられている。
【００３０】
上記板バネ部材３２は、図２及び３に示すように、金属製であり、且つ、上記ケース３の外周側に基端側が固定されてこのケース３の半径方向に弾性変形自在に設けられている。この板バネ部材３２は、ケース３の軸心方向に延びており、且つ、ケース３の外周面に略平行に設けられている。
【００３１】
また、上記板バネ部材３２の自由端側には、ケース３の求心方向に突出する当接部３５が設けられている。この当接部３５は、ケース３に対してキャップ２を締める方向Ｐ１に回転させるときに上記規制部３１に当接する第１当接面３５ａと、ケース３に対してキャップ２を緩める方向Ｐ２に回転させるときに上記規制部３１に当接する第２当接面３５ｂと、を有している。この第１当接面３５ａとケース３の接線とのなす角度Ａは約３０度に設定され、この第２当接面３５ｂとケース３の接線とのなす角度Ｂは約６０度に設定されている（図３参照）。
【００３２】
また、上記板バネ部材３２の基端側には、その基端側を折り曲げて形成される圧入固定部３６が設けられている。この圧入固定部３６が、ケース３の外周側に設けられた受け座３７に形成された溝部３７ａに弾性変形を伴って、ケース３の軸心方向から圧入されている。また、圧入固定部３６を溝部３７ａに圧入した状態で、この板バネ部材３２の圧入固定部３６より自由端側（上方側）が、ケース３の外周面に対して所定の隙間Ｓをもって対向している（図２参照）。なお、上記受け座３７のケース３の外周面からの突出幅Ｗは、約５ｍｍに設定されている。
【００３３】
また、上記板バネ部材３２の自由端側には、図４〜６に示すように、その自由端側を折り曲げて形成される把持部３９が設けられている。この把持部３９は、当接部３５と反対方向に延びて、即ち、ケース３の遠心方向に延びて設けられている。さらに、板バネ部材３２の自由端側には、ケース３の円周方向の両側における自由端側を折り曲げて形成される左右の折曲部４０が設けられている。この各折曲部４０は、当接部３５と反対方向に延びて、即ちケース３の遠心方向に延びて設けられている。また、各折曲部４０は、当接部３５の高さと対応する位置に設けられている。
【００３４】
（２）オイルフィルタの作用
次に、上記構成のオイルフィルタ１の作用について説明する。
先ず、ケース３に対してキャップ２を装着する際には、上記ケース３の雌ネジ部３ａにキャップ２の雄ネジ部２ａを螺合させて、キャップ２を締める方向Ｐ１に回転させる（図３参照）。すると、キャップ２の規制部３１が板バネ部材３２の当接部３５の第１当接面３５ａに当接することとなるが（図３中の実線参照）、この第１当接面３５ａは、比較的なだらかな角度（約３０度）に設定されているので、板バネ部材３２がケース３の遠心方向に容易に弾性変形され、キャップ２を抵抗なく締める方向Ｐ１に回転させることができる。
【００３５】
次に、ケース３に対してキャップ２が完全な螺合状態とされると、キャップ２の規制部３１が板バネ部材３２の当接部３５に近接する位置に配置される（図３中の仮想線参照）。この状態より、締め付けトルクの低下によってキャップ２が緩む方向Ｐ２に回転すると、キャップ２の規制部３１が板バネ部材３２の当接部３５の第２当接面３５ｂに当接する。このとき、第２当接面３５ｂは、比較的きつい角度（約６０度）に設定されているので、板バネ部材３２がケース３の半径方向に弾性変形され難く、第２当接面３５ｂと規制部３１との当接状態が保持され、キャップ２の緩み方向Ｐ２への回転が規制されることとなる。
なお、上記キャップ２及びケース３の完全な螺合状態よりキャップ２を外す際には、トルクレンチ等の適宜工具を用いてキャップ２の初期の緩め回しを行った後、素手にてリブ３３を掴んで緩め回しが行われることとなる。
【００３６】
（３）実施例の効果
本実施例のオイルフィルタ１によると、キャップ２及びケース３の締め付け状態において、キャップ２の規制部３１に対して、ケース３の板バネ部材３２の当接部３５が近接（又は当接）する位置に配置されているので、この状態より、締め付けトルクの低下によってケース３に対してキャップ２が緩んでも、規制部３１及び当接部３５の当接により必要以上にキャップ２及びケース３が相対回転してしまうことが規制される。また、金属製の板バネ部材３２を採用しているので、寒冷時でのキャップ２の脱着や工具のぶつけ等による板バネ部材３２の破損を抑制でき、高強度で且つ耐久性に優れる構造とすることができる。さらに、板バネ部材３２を、ケース３の半径方向に弾性変形自在に設けたので、従来のように、ケーシングの軸心方向に弾性変形するバネ部材を備えるものに比べて、ケーシングの半径方向の寸法を必要最小限としてコンパクト化を図ることができる。また、キャップ２の外周側に規制部３１を設けると共に、ケース３の外周側に板バネ部材３２を設けて緩み回り規制構造３０を構成したので、従来のように、ケーシング内部や摺動孔等にバネ部材を設けるものに比べて、板バネ部材３２の不具合を容易に確認できる。
また、本実施例では、板バネ部材３２の当接部３５が第１当接面３５ａ及び第２当接面３５ｂを有し、この第１当接面３５ａとケース３の接線とのなす角度Ａが約３０度に設定されると共に、第２当接面３５ｂとケース３の接線とのなす角度Ｂが約６０度に設定されているので、ケース３に対してキャップ２を締める方向Ｐ１に回転させるときに、規制部３１及び第１当接面３５ａが当接しても締め易くできる一方、締め付けトルクの低下によって、ケース３に対してキャップ２が緩まる方向Ｐ２に回転しても、規制部３１及び第２当接面３５ｂの当接によって緩み難くできる。
また、本実施例では、板バネ部材３２の基端側に設けられた圧入固定部３６を、ケース３の外周側に設けられた受け座３７の溝部３７ａに圧入するようにしたので、板バネ部材３２の組付時や交換時等に、ケース３に対する板バネ部材３２の着脱を容易且つ迅速に行うことができる。
また、本実施例では、板バネ部材３２の圧入固定部３６を溝部３７ａに圧入した状態で、板バネ部材３２の圧入固定部３６より上方側が、ケース３の外周面に対して所定隙間Ｓ（図２参照）をもって対向するようにしたので、内燃機関の運転中に板バネ部材３２が振動しても、この板バネ部材３２がケース３の外周面に伝わって騒音等が生じることを抑制できる。
また、本実施例では、板バネ部材３２の自由端側に把持部３９を設けたので、板バネ部材３２の組付時や交換時等に、その把持部３９を工具や指先で掴むことによって、ケース３に対する板バネ部材３２の着脱を容易且つ迅速に行うことができる。
【００３７】
尚、本発明においては、上記実施例に限られず、目的、用途に応じて本発明の範囲内で種々変更した実施例とすることができる。即ち、上記実施例では、キャップ２の外周側に規制部３１を設けると共に、ケース３の外周側に板バネ部材３２を設けるようにしたが、これに限定されず、例えば、キャップ２の外周側に板バネ部材３２を設けると共に、ケース３の外周側に規制部３１を設けるようにしてもよい。
また、上記実施例では、板バネ部材３２の表面とケース３の外周面との間に所定隙間Ｓを設けるようにしたが、これに限定されず、例えば、図７に示すように、板バネ部材３２を、その表面とケース３の外周面とが接触するように設けるようにしてもよい。
さらに、上記実施例では、ケース３の軸心方向に沿って延びるように板バネ部材３２を設けたが、これに限定されず、例えば、図８に示すように、ケース３の円周方向に沿って延びるように板バネ部材３２を設けるようにしてもよい。
【産業上の利用可能性】
【００３８】
エレメント交換型フィルタの緩み回りを規制する技術として利用される。特に、内燃機関で使用されるオイルをろ過するオイルフィルタの緩み回りを規制する技術として好適に利用される。
【図面の簡単な説明】
【００３９】
【図１】実施例に係るフィルタの縦断面図である。
【図２】図１の要部拡大図である。
【図３】図２のIII矢視図である。
【図４】板バネ部材の正面図である。
【図５】図４のＶ矢視図である。
【図６】図４のＶＩ矢視図である。
【図７】その他の形態の板バネ部材を説明するための説明図である。
【図８】更にその他の形態の板バネ部材を説明するための説明図である。
【図９】従来の緩み回り防止構造を説明するための説明図である。
【符号の説明】
【００４０】
１；オイルフィルタ、２；キャップ、３；ケース、４；ケーシング、１１；エレメント組立体、１２；フィルタエレメント、３０；緩み回り規制構造、３１；規制部、３２；板バネ部材、３５；当接部、３５ａ；第１当接面、３５ｂ；第２当接面、３６；圧入固定部、３７ａ；溝部、３９；把持部、４０；折曲部、Ｐ１；締める方向、Ｐ２；緩める方向、Ｓ；隙間。
【図１】
0004444891.tif 000002
【図２】
0004444891.tif 000003
【図３】
0004444891.tif 000004
【図４】
0004444891.tif 000005
【図５】
0004444891.tif 000006
【図６】
0004444891.tif 000007
【図７】
0004444891.tif 000008
【図８】
0004444891.tif 000009
【図９】
0004444891.tif 000010